(57)【特許請求の範囲】
【請求項１】
圧縮機、コンデンサ、コンデンサファン、ドライヤ、モイスチャインジケータをユニットケースに収納した冷凍装置において、
前記ユニットケースを機械室と、熱交換室とに区分けし、この熱交換室内であって、前記ユニットケースの前面側のコンデンサファンの下方空間にドライヤ及びモイスチャインジケータを配置し、このドライヤ及びモイスチャインジケータを交換するための開口部を前記熱交換室を構成する前記ユニットケースの前面側のパネルの一部に設け、この開口部を閉じる蓋体を設けたことを特徴とする冷凍装置。
【請求項２】
前記モイスチャインジケータを目視するための窓を前記蓋体に設けたことを特徴とする請求項１記載の冷凍装置。
【請求項３】
前記ドライヤ及びモイスチャインジケータを直列に接続すると共に、その前後にサービスバルブを夫々配置したことを特徴とする請求項１又は２記載の冷凍装置。
【発明の詳細な説明】
【０００１】
【発明の属する技術分野】
本発明は、例えばコンデンシングユニット等の冷凍装置に関する。
【０００２】
【従来の技術】
一般に、冷媒回路を構成するアキュムレータ、圧縮機、コンデンサ、コンデンサファン、レシーバタンク等をユニットケースに収納した例えばコンデンシングユニット等の冷凍装置が知られている。
【０００３】
【発明が解決しようとする課題】
この種の冷凍装置では、冷媒回路を流れる冷媒中の遊離水分を吸着するドライヤ、及び冷媒量の目視確認可能なモイスチャインジケータが冷媒回路に接続されている。これらは異物が詰まると圧損を生じるため、交換作業が必要となる。
【０００４】
しかしながら、これらがユニットケースに内蔵されずに、ケースの外側面等に設けられている場合、強度的な問題が生じたり、余分なスペースが必要になる等の問題があった。また、ユニットケースに内蔵されている場合、モイスチャインジケータの目視を外部から行うことができないことや、交換時において、ケースのカバーを取り外してから交換しなければならず、交換作業が困難であった。
【０００５】
本発明の目的は、従来技術が有する課題を解消し、ドライヤ及びモイスチャインジケータを簡単に交換できる冷凍装置を提供することにある。
【０００６】
【課題を解決するための手段】
請求項１に記載の発明は、圧縮機、コンデンサ、コンデンサファン、ドライヤ、モイスチャインジケータをユニットケースに収納した冷凍装置において、前記ユニットケースを機械室と、熱交換室とに区分けし、この熱交換室内であって、前記ユニットケースの前面側のコンデンサファンの下方空間にドライヤ及びモイスチャインジケータを配置し、このドライヤ及びモイスチャインジケータを交換するための開口部を前記熱交換室を構成する前記ユニットケースの前面側のパネルの一部に設け、この開口部を閉じる蓋体を設けたことを特徴とするものである。
【０００７】
この発明では、ドライヤ、モイスチャインジケータはユニットケースの前面側に位置し、この前面には開口部が設けられるので、従来のようにユニットケースカバーを取り外すことなく、蓋体を開けることにより、開口部を通じてドライヤ、及びモイスチャインジケータの交換を容易に行うことができる。
【０００８】
請求項２に記載の発明は、請求項１記載のものにおいて、前記モイスチャインジケータを目視するための窓を前記蓋体に設けたことを特徴とする。
【０００９】
この発明では、蓋体に窓が設けられるので、この蓋体を開けるまでもなくモイスチャインジケータによる冷媒量の目視確認が可能になる。
【００１０】
請求項３に記載の発明は、請求項１又は２記載のものにおいて、前記ドライヤ及びモイスチャインジケータを直列に接続すると共に、その前後にサービスバルブを夫々配置したことを特徴とするものである。
【００１１】
この発明では、夫々の高圧液サービスバルブを閉じて、前記ドライヤ、モイスチャインジケータ前後の冷媒管を遮断した後、前記ドライヤ、及びモイスチャインジケータの交換が可能になる。
【００１２】
【発明の実施の形態】
以下、本発明の一実施形態を図面に基づいて説明する。
【００１３】
図３において、１はコンデンシングユニットを示している。このコンデンシングユニット１はロータリ圧縮機３を備え、このロータリ圧縮機３にはコンデンサ５が接続されている。６はコンデンサファンである。
【００１４】
コンデンサ５にはレシーバタンク７が接続され、このレシーバタンク７の出側には高圧液サービスバルブ９、フィルタドライヤ１１、モイスチャインジケータ１３、及び高圧液サービスバルブ１５が接続されている。
【００１５】
コンデンシングユニット１の出口である高圧液サービスバルブ１５には別体の電磁弁１７、膨張弁１９、及びエバポレータ２１が接続されている。このエバポレータ２１はコンデンシングユニット１の入口である吸入ガスサービスバルブ２３に接続され、冷媒回路を構成している。この吸入ガスサービスバルブ２３にはストレーナ２５、逆止弁２７、及びアキュムレータ２９，３１が接続され、このアキュムレータ２９，３１はロータリ圧縮機３に接続されている。
【００１６】
３３は高低圧圧力スイッチを示し、キャピラリーチューブ３５，３７を介して高圧液管４１、低圧ガス管４３に夫々接続されている。また、ロータリ圧縮機３の吐出管４５には温度センサ４７が接続され、この温度が所定温度を超えた場合、インジェクション用サーモバルブ４９が開かれ、ストレーナ５１、インジェクション用サーモバルブ４９、及びキャピラリーチューブ５３を経てロータリ圧縮機３に冷却用冷媒が戻される。
【００１７】
この冷媒回路を構成するアキュムレータ２９，３１、ロータリ圧縮機３、コンデンサ５、レシーバタンク７等の各種機器は、図１及び図２に示すように、ユニットケース５５に収納されている。
【００１８】
この実施形態では、図１に示すように、ユニットケース５５の前面側のコンデンサファン６の下方空間にドライヤ１１、モイスチャインジケータ１３が配置され、ユニットケース５５の前面下部にはドライヤ１１、モイスチャインジケータ１３を交換できるように開口部５６が設けられ、この開口部５６には蓋体５７が設けられている。
【００１９】
コンデンサファン６の下方空間にドライヤ１１、及びモイスチャインジケータ１３を収納することにより、この空間の有効利用が図られる。そして、ドライヤ１１、及びモイスチャインジケータ１３はユニットケース５５の前面側に位置するので、前面の蓋体５７を開けることにより、前面側から開口部５６を通じて交換作業を行うことができ、従来のように多くのビスを外してユニットケース５５のカバーを取り外す必要がなく、ドライヤ１１、及びモイスチャインジケータ１３を短時間で交換することができる。
【００２０】
そして、この蓋体５７にはモイスチャインジケータ１３をユニットケース５５の外側から目視できるように窓５９が設けられている。この窓５９は、観察者が屈まなくても見えるように、モイスチャインジケータ１３のやや上方に設けることが望ましい。
【００２１】
これによれば、この蓋体５７を開けるまでもなく、窓５９を通じてモイスチャインジケータ１３による冷媒量の目視確認が可能になる。
【００２２】
図１に示すように、ドライヤ１１、及びモイスチャインジケータ１３の前後の冷媒管には高圧液サービスバルブ９，１５が夫々配置されているので、ドライヤ１１、及びモイスチャインジケータ１３を交換する場合には、夫々の高圧液サービスバルブ９，１５を閉じて、ドライヤ１１、及びモイスチャインジケータ１３の前後の冷媒管を遮断した後に、ドライヤ１１、及びモイスチャインジケータ１３の交換が行われる。従来では、ドライヤ１１の上流の高圧液サービスバルブ９のみが配置され、設置工事を行う際に、モイスチャインジケータ１３の下流にサービスバルブを配置することが必要であった。しかしこの実施形態では、工場出荷の段階で、既に、二つの高圧液サービスバルブ９，１５がユニットケース５５に収納されているので、設置工事の際に特別にサービスバルブを配置する必要がないという利点が得られる。
【００２３】
以上、一実施形態に基づいて本発明を説明したが、本発明は、これに限定されるものでないことは明らかである。前記の実施形態では、コンデンシングユニット１について説明したが、これに限定されるものではなく、例えばエアコンの室外機などにも適用が可能である。
【００２４】
【発明の効果】
請求項１に記載の発明では、ドライヤ及びモイスチャインジケータはユニットケースの前面側に位置し、この前面には蓋体が設けられるので、従来のようにユニットケースカバーを取り外すことなく、この蓋体を開けることにより、開口部を通じてドライヤ及びモイスチャインジケータの交換が可能になる。
【００２５】
請求項２に記載の発明では、蓋体に窓が設けられるので、この蓋体を開けるまでもなくモイスチャインジケータによる冷媒量の目視確認が可能になる。
【００２６】
請求項３に記載の発明では、夫々の高圧液サービスバルブを閉じて、前記ドライヤ、モイスチャインジケータ前後の冷媒管を遮断した後、前記ドライヤ、及びモイスチャインジケータの交換が可能になる。
【図面の簡単な説明】
【図１】本発明の一実施形態を示す正面図である。
【図２】同じく断面図である。
【図３】同じく冷媒回路図である。
【符号の説明】
１  コンデンシングユニット
３  圧縮機
５  コンデンサ
６  コンデンサファン
７  レシーバタンク
９，１５  高圧液サービスバルブ
１１  ドライヤ
１３  モイスチャインジケータ
５５  ユニットケース
５６  開口部
５７  蓋体
５９  窓
【図１】
0003732940.tif 000002
【図２】
0003732940.tif 000003
【図３】
0003732940.tif 000004